(57)【要約】【課題】現在の監視システムの異常有無を判断するための精度の向上を図ることができる情報通知装置を提供する。【解決手段】カメラ映像受信状態監視部３０３において映像データの現在の受信状態と予め取得し保持しておいた統計情報としての過去の受信状態とを比較し、またカメラ映像録画状態監視部３０４において映像データの現在の録画状態と予め取得し保持しておいた統計情報としての過去の録画状態とを比較する。受信状態は受信レートであり、録画状態は録画レート又はイベント回数である。このように、監視システム１の異常有無の判断を行う基準値として過去の統計情報を使用することで現在の監視システムの異常有無に対する判断精度の向上が図れる。【選択図】図２
2010041390.tif 000002
【特許請求の範囲】
【請求項１】
カメラから出力される映像信号を受信する映像信号受信手段と、
前記映像信号受信手段から出力される前記映像信号の現在の受信状態を予め取得し保持しておいた統計情報としての過去の受信状態と比較し、その比較結果を出力する受信状態比較手段と、
前記受信状態比較手段から出力される比較結果に対応した情報を通知する情報通知手段と、
を備えた情報通知装置。
【請求項２】
前記映像信号受信手段から出力される前記映像信号を録画する映像信号録画手段と、
前記映像信号録画手段から出力される前記映像信号の現在の録画状態を予め取得し保持しておいた統計情報としての過去の録画状態と比較し、その比較結果を出力する録画状態比較手段と、を備え、
前記比較結果を前記録画状態比較手段から前記情報通知手段に供給する請求項１に記載の情報通知装置。
【請求項３】
前記受信状態は受信レートである請求項１又は請求項２に記載の情報通知装置。
【請求項４】
前記録画状態は録画レートである請求項２又は請求項３に記載の情報通知装置。
【請求項５】
前記録画状態はイベント回数である請求項２又は請求項３に記載の情報通知装置。
【発明の詳細な説明】
【技術分野】
【０００１】
本発明は、カメラと、該カメラから出力される映像信号を録画する録画装置とを備えた監視システムに用いて好適な情報通知装置に関する。
【背景技術】
【０００２】
従来、複数のカメラと、各カメラから出力される映像信号を録画する録画装置とを備えた監視システムがある（例えば、特許文献１参照）。
【０００３】
従来の録画装置には、現在の監視システムの異常有無の判断を行ってその結果を管理者に通知する情報通知装置を有するものがあり、この種の情報通知装置では、監視映像内に異常や注意すべき変化が起きていることの判断基準となる判断基準値（閾値）として、映像内の動作検出設定（例えば、動いた／離れた、画面の場所、変化レベル）や映像受信レート閾値（例えばｘ以上、ｙ未満）などを管理者に事前に手動で設定させるようにしている。例えば、管理者は受信状態が急激に変化していないか、録画状態が急激に変化していないかなどを監視するための設定閾値を事前に設定する。情報通知装置は、受信レートが設定閾値より悪化したり、録画レートもしくはイベント回数（録画した回数）が設定閾値より悪化したりすると、その旨を管理者に通知する。受信レートや録画レートの異常は、例えばカメラと録画装置がネットワークを介して接続されている場合、伝送路帯域の制限、輻輳（パケット損失）等により発生し、イベント回数の異常は、撮影サイトの状況変化（イベント録画の多発化）等により発生する。
【０００４】
【特許文献１】特開２００４−１４６９５９号公報
【発明の開示】
【発明が解決しようとする課題】
【０００５】
しかしながら、現在の監視システムの異常有無を判断するための設定閾値は固定値であるため、現在の監視システムの異常有無を判断するための精度が良くないという問題がある。
【０００６】
本発明は、かかる事情に鑑みてなされたものであり、現在の監視システムの異常有無を判断するための精度の向上を図ることができる情報通知装置を提供することを目的とする。
【課題を解決するための手段】
【０００７】
本発明の情報通知装置は、カメラから出力される映像信号を受信する映像信号受信手段と、前記映像信号受信手段から出力される前記映像信号の現在の受信状態を予め取得し保持しておいた統計情報としての過去の受信状態と比較し、その比較結果を出力する受信状態比較手段と、前記受信状態比較手段から出力される比較結果に対応した情報を通知する情報通知手段と、を備えた。
【０００８】
この構成によれば、監視システムの異常有無の判断を行う基準値として過去の統計情報を使用し、映像信号の現在の受信状態と予め取得し保持しておいた統計情報としての過去の受信状態とを比較するので、受信状態の異常有無に対する判断精度の向上が図れる。
【０００９】
また、上記構成において、前記映像信号受信手段から出力される前記映像信号を録画する映像信号録画手段と、前記映像信号録画手段から出力される前記映像信号の現在の録画状態を予め取得し保持しておいた統計情報としての過去の録画状態と比較し、その比較結果を出力する録画状態比較手段と、を備え、前記比較結果を前記録画状態比較手段から前記情報通知手段に供給する。
【００１０】
この構成によれば、映像信号の現在の録画状態と予め取得し保持しておいた統計情報としての過去の録画状態とを比較するので、録画状態の異常有無に対する判断精度の向上が図れる。
【００１１】
上記受信状態は受信レートである。また、上記録画状態は録画レート又は録画した回数であるイベント回数である。
【発明の効果】
【００１２】
本発明によれば、現在の監視システムの異常有無を判断するための精度の向上を図ることができる。
【発明を実施するための最良の形態】
【００１３】
以下、本発明を実施するための好適な実施の形態について、図面を参照して詳細に説明する。
【００１４】
図１は、本発明の一実施の形態に係る監視システムの概略構成を示すブロック図である。図１において、本実施の形態の監視システム１は、情報通知装置１０と、管理端末１１と、複数のカメラ１２とを備える。管理端末１１は、情報通知装置１０に制御情報の入力を行うとともに、情報通知装置１０から出力される受信レート異常変化情報、録画レート異常変化情報等の各種情報を取得する。カメラ１２は、ネットワーク機能を有し、ネットワーク２０を介して映像データを情報通知装置１０へ送信する。
【００１５】
情報通知装置１０は、受信録画制御部３０と、映像データを記録する映像保存用記録媒体３１と、受信状態統計情報を蓄積するデータベース３２と、録画状態統計情報を蓄積するデータベース３３とを備える。映像保存用記録媒体３１は例えばハードディスクなどの大容量記録媒体である。図２は情報通知装置１０の受信録画制御部３０の詳細な構成を示すブロック図である。図２において、受信録画制御装置３０は、カメラ映像受信部３０１と、カメラ映像録画部３０２と、カメラ映像受信状態監視部３０３と、カメラ映像録画状態監視部３０４と、情報通知部３０５と、操作・設定部３０６とを備える。
【００１６】
カメラ映像受信部３０１は、ネットワーク機能を有し、ネットワーク２０に接続して各カメラ１２から送信された映像データを受信する。カメラ１２からは例えば１０Ｍｂｐｓの映像データが送信される。カメラ映像受信部３０１は、カメラ１２から送信された映像データを受信することで、１Ｍｂｐｓにレートを落とした映像データをカメラ映像録画部３０２及びカメラ映像受信状態監視部３０３に入力する。カメラ映像録画部３０２は、カメラ映像受信部３０１から入力された映像データを映像保存用記録媒体３１に記録するとともに、カメラ映像録画状態監視部３０４に入力する。
【００１７】
カメラ映像受信状態監視部３０３は、カメラ映像受信部３０１から入力された映像データ（この場合、受信状態に係る統計情報）より現在の受信状態をデータベース３２に保持しておいた統計情報としての過去の受信状態と比較し、その比較結果を出力する。受信状態は例えば受信レートである。カメラ映像録画状態監視部３０４は、カメラ映像録画部３０２から入力された映像データ（この場合、録画状態に係る統計情報）より現在の録画状態をデータベース３３に保持しておいた統計情報としての過去の録画状態と比較し、その比較結果を出力する。録画状態は、例えば録画レート又は録画した回数であるイベント回数である。情報通知部３０５は、カメラ映像受信状態監視部３０３又はカメラ映像録画状態監視部３０４から出力された比較結果に対応した情報を管理者に通知する。
【００１８】
ここで、図３は、受信状態に係る統計情報（受信統計情報）と録画状態に係る統計情報（録画統計情報）の構成の一例を模式的に示した図である。受信統計情報と録画統計情報は、それぞれ「週の情報」と「時間の情報」を有して構成される。また、受信統計情報における受信収集情報構造は「ピークレート」と「平均レート」を含む構造となっており、録画統計情報における録画収集情報構造は「ピークレート」、「平均レート」、「イベント回数」を含む構造となっている。例えば、受信統計情報において、「日」、「時間」、「０」は日曜日の０時台（００時：００分：００秒〜００時：５９分：５９秒におけるピークレートと平均レートである。また、録画統計情報において、「日」、「時間」、「０」は日曜日の０時台（００時：００分：００秒〜００時：５９分：５９秒におけるピークレートと平均レートとイベント回数である。
【００１９】
現在の監視システム１の異常有無の判断を行う基準として過去の統計情報を使用することで、リアルタイム的な変化や量子的な変化（静→動、動→静）に対応できることは勿論のこと、従来では実現できなかった中期・長期的な時間幅での積分的／速度的な普段の状態からの変化（普段より明るい／暗い（照明などの状態がいつもと違う）、普段より人通りが多い／少ない、普段より設置物の動作が多い／少ない（工場内の機器の異常動作））に対応できる。例えば、明るい昼間ではレートが下がり、暗い夜ではノイズが増えてレートが上がることから、昼の状態でカメラ１２のレートを設定した場合に、夜になるとレートが上がる。その異常を判定することができる。また、人通りの多い場所にカメラ１２を設置し、レートを高めに設定しておいたにも関わらず人通りが少ない場合にはレートを下げて良いが、レートが上がりっぱなしであれば、異常であると判定することができる。
【００２０】
なお、上記カメラ映像受信部３０１は映像信号受信手段に、上記カメラ映像受信状態監視部３０３は受信状態比較手段に、上記情報通知部３０５は情報通知手段に、上記カメラ映像録画部３０２は映像信号録画手段に、上記カメラ映像録画状態監視部３０４は録画状態比較手段にそれぞれ対応する。
【００２１】
次に、情報通知装置１０の受信録画制御部３０の動作について説明する。図４は、受信録画制御部３０の動作を示すフローチャートである。図４において、まず次に映像データを取得する時刻になるまで待機し（ステップＳＴ１０）、次の取得時刻が来ると、現在の状態を取得する（ステップＳＴ１１）。すなわち、受信統計情報と録画統計情報を取得する。受信統計情報はカメラ映像受信部３０１より得られ、録画統計情報はカメラ映像録画部３０２より得られる。
【００２２】
次いで、現在の統計情報と過去の統計情報とに差があるかどうか判定する（ステップＳＴ１２）。すなわち、過去（１−ｒ）≦現在≦過去（１＋ｒ）であるかどうか判定する。この場合、過去の受信統計情報はデータベース３２より得られ、過去の録画統計情報はデータベース３３より得られる。
【００２３】
ステップＳＴ１２の判定において、過去の統計情報との差が小さければ現在の状態を過去の状態に反映させる（ステップＳＴ１３）。すなわち更新する。これに対して過去の統計情報との差が大きければ管理者に情報通知する（ステップＳＴ１４）。例えば過去（１−ｒ）の録画レートが８Ｍｂｐｓ、過去（１＋ｒ）の録画レートが１２Ｍｂｐｓである場合、８Ｍｂｐｓ≦現在の録画レート≦１２Ｍｂｐｓであれば正常（すなわち差が小）であり、現在の録画レート＜８Ｍｂｐｓ又は現在の録画レート＞１２Ｍｂｐであれば異常（すなわち差が大）である。受信統計情報の更新はデータベース３２に対して行われ、録画統計情報の更新はデータベース３３に対して行われる。統計情報の更新又は管理者への情報通知を行った後、ステップＳＴ１０に戻り、同様の処理を繰り返し行う。
【００２４】
以上のように、本実施の形態の監視システム１の情報通知装置１０によれば、監視システム１の異常有無の判断を行う基準値として過去の統計情報を使用し、映像データの現在の受信状態（受信レート）と予め取得し保持しておいた統計情報としての過去の受信状態（受信レート）とを比較し、また映像データの現在の録画状態（録画レート又はイベント回数）と予め取得し保持しておいた統計情報としての過去の録画状態（録画レート又はイベント回数）とを比較するようにしたので、現在の監視システムの異常有無に対する判断精度の向上が図れる。
【産業上の利用可能性】
【００２５】
本発明は、現在の監視システムの異常有無を判断するための精度の向上を図ることができるといった効果を有し、カメラと、該カメラから出力される映像信号を録画する録画装置とを備えた監視システムなどへの適用が可能である。
【図面の簡単な説明】
【００２６】
【図１】本発明の一実施の形態に係る監視システムの概略構成を示すブロック図
【図２】図１の受信録画制御部の詳細な構成を示すブロック図
【図３】図１の受信録画制御部で扱われる受信統計情報と録画統計情報の構成を模式的に示す図
【図４】図１の受信録画制御部の動作を説明するためのフローチャート
【符号の説明】
【００２７】
１  監視システム
１０  情報通知装置
１１  管理端末
１２  カメラ
２０  ネットワーク
３０  受信録画制御部
３１  映像保存用記録媒体
３２  受信状態統計情報データベース
３３  録画状態統計情報データベース
３０１  カメラ映像受信部
３０２  カメラ映像録画部
３０３  カメラ映像受信状態監視部
３０４  カメラ映像録画状態監視部
３０５  情報通知部
３０６  操作・設定部
【図１】
2010041390.tif 000003
【図２】
2010041390.tif 000004
【図３】
2010041390.tif 000005
【図４】
2010041390.tif 000006